(57)【要約】【課題】一方の面に申込者記入欄を備え、他方の面に商品広告等の絵柄印刷層を備え、ＦＡＸにより送信した注文情報を正確に効率よくＯＣＲで読取ることができるＦＡＸ−ＯＣＲ用申込書を提供することである。【解決手段】紙シートの一方の面に申込者記入欄を少なくとも備えると共に他方の面に絵柄印刷層を設けたＦＡＸ−ＯＣＲ用申込書において、前記申込者記入欄は少なくとも手書記入枠がドロップアウトカラーで印刷されると共に、前記紙シートの他方の面に設けたＰＣＳ値が０．９０以上の前記絵柄印刷層を前記紙シートの一方の面から測定したＰＣＳ値が０．０５未満となる遮蔽層を前記紙シートの他方の面の少なくとも前記手書記入枠に対応する領域であって、前記絵柄印刷層が形成されている領域に設けたことを特徴とするＦＡＸ−ＯＣＲ用申込書。【選択図】        図１
2004160728.tif 000002
【特許請求の範囲】
【請求項１】
一面に設けたＰＣＳ値が０．９０以上の着色層を反対面から測定したＰＣＳ値が０．０５〜０．０７となる紙シートの一方の面に申込者が注文情報を手書きにより記入する申込者記入欄を少なくとも備えると共に他方の面に絵柄印刷層を備えたＦＡＸ−ＯＣＲ用申込書において、前記申込者記入欄は前記申込者記入欄であることを明示する表題部と一文字ずつ手書き記入する手書記入枠と手書き記入項目を示す手書項目名とから構成され、少なくとも前記手書記入枠がドロップアウトカラーで印刷されると共に、前記紙シートの他方の面に設けたＰＣＳ値が０．９０以上の前記絵柄印刷層を前記紙シートの一方の面から測定したＰＣＳ値が０．０５未満となる遮蔽層を前記紙シートの他方の面の少なくとも前記手書記入枠に対応する領域であって、前記絵柄印刷層が形成されている領域に設けたことを特徴とするＦＡＸ−ＯＣＲ用申込書。
【請求項２】
前記ドロップアウトカラーはＰＣＳ値が０．１８〜０．２１であることを特徴とする請求項１記載のＦＡＸ−ＯＣＲ用申込書。
【請求項３】
前記遮蔽層が白色のベタ印刷層であることを特徴とする請求項１、２のいずれかに記載のＦＡＸ−ＯＣＲ用申込書。
【請求項４】
前記紙シートが坪量８１．４〜１０４．７ｇ／ｍ２の上質紙であることを特徴とする請求項１〜３のいずれかに記載のＦＡＸ−ＯＣＲ用申込書。
【発明の詳細な説明】
【０００１】
【発明の属する技術分野】
本発明は、通信販売等で用いられる申込書に関し、さらに詳しくは、ファクシミリ（以下、ＦＡＸと呼称する）により送信し、Ｏｐｔｉｃａｌ  Ｃｈａｒａｃｔｅｒ  Ｒｅａｄｅｒ（以下、ＯＣＲと呼称する）により読取るＦＡＸ−ＯＣＲ用申込書に関するものである。
【０００２】
【従来の技術】
従来、通信販売用カタログ等に掲載された商品をＦＡＸから注文する方法が知られている。この方法は、ＦＡＸにより送信した注文情報をＯＣＲにより読取り、読取った情報により配送処理を行うものである。そのために、注文情報を容易にＯＣＲで読取ることができるように、申込書の少なくとも注文情報を手書きにより記入する手書記入枠は、いわゆるドロップアウトカラーにより所定情報が予め印刷されている。
【０００３】
ところで、ドロップアウトカラーとは、ＦＡＸにより送信する際にＦＡＸが光学的に読取ることができない色であって、ドロップアウトカラーで予め印刷される所定情報とは、たとえば、注文情報を手書きにより一文字ずつ手書き記入する手書記入枠などである。これにより、ドロップアウトカラーで印刷されている前記手書記入枠などは、注文の意思のある申込者に注文情報を手書き記入するための正しい位置を明示すると共に注文情報のみがＦＡＸにより送信されるために、注文情報を正確に効率よくＯＣＲで読取ることができる（たとえば、特許文献１参照）。
【０００４】
【特許文献１】
特開平５−２７０１７２号公報
【０００５】
しかしながら、ＦＡＸ−ＯＣＲ用申込書に用いられる紙シートは、坪量が８１．４〜１０４．７ｇ／ｍ２の上質紙が一般的には用いられ、紙シートの一方の面のみ（他方の面は白紙である場合）に前記手書記入枠などがドロップアウトカラーで印刷された申込書であれば全く問題は生じないが、前記紙シートの他方の面を印刷により商品広告等の絵柄印刷層を設けて有効利用した場合に、前記絵柄印刷層の濃色部分がドロップアウトカラーで印刷された前記手書記入枠などと重なると、ＦＡＸにより送信する際に、前記絵柄印刷層と重なった前記手書記入枠などの部分が前記絵柄印刷層の影響を受けて枠として認識されて読込まれ、たとえば、手書きにより記入した注文情報が前記絵柄印刷層と重なった前記手書記入枠などの部分と重なった場合に、ＦＡＸにより送信した注文情報をＯＣＲが誤認するという問題が生じる。
【０００６】
そこで上記したＯＣＲが注文情報を誤認するという問題を解決する手段として、商品広告等の前記絵柄印刷層を半調にして淡く形成する方法があるが、これは商品広告等が全体的にねむい感じとなり、シャープさのないものになるといった問題があると共に、この淡く形成された商品広告等の前記絵柄印刷層がドロップアウトカラーで印刷された前記手書記入枠などと重なると、前記手書記入枠などが枠として認識されて読込まれる虞を完全に排除し切れないという問題があった。そこで、次なる手段として、上記した手段に付加して、ドロップアウトカラーで印刷する前記手書記入枠などをマクベス濃度計で測定したＰＣＳ値が０．１１〜０．１５となるような、より淡いドロップアウトカラーで形成するなり、網点で形成するなりする方法があるが、この場合には確かに、淡く形成された商品広告等の前記絵柄印刷層がドロップアウトカラーで印刷された前記手書記入枠などと重なっても、前記手書記入枠などが枠として認識されることはなくなるものの、前記手書記入枠などが非常に淡い色となるために目視で確認することが困難になるという問題があった。
【０００７】
出願人は、上記問題を解決する先行技術文献で、本発明の特徴に直接関連した内容が開示されているものを現段階では認識していないため、本明細書では、ＦＡＸ−ＯＣＲに関する一つの先行技術文献を示した。
【０００８】
【発明が解決しようとする課題】
そこで本発明は、注文情報を手書き記入するための正しい位置等を目視で確認することができると共に、裏面に鮮明な商品広告等を印刷により設けたＦＡＸ−ＯＣＲ用申込書であって、ＦＡＸにより送信した注文情報を正確に効率よくＯＣＲで読取ることができるＦＡＸ−ＯＣＲ用申込書を提供することである。
【０００９】
【課題を解決するための手段】
本発明者は、上記課題を達成するために、請求項１記載の本発明は、一面に設けたＰＣＳ値が０．９０以上の着色層を反対面から測定したＰＣＳ値が０．０５〜０．０７となる紙シートの一方の面に申込者が注文情報を手書きにより記入する申込者記入欄を少なくとも備えると共に他方の面に絵柄印刷層を備えたＦＡＸ−ＯＣＲ用申込書において、前記申込者記入欄は前記申込者記入欄であることを明示する表題部と一文字ずつ手書き記入する手書記入枠と手書き記入項目を示す手書項目名とから構成され、少なくとも前記手書記入枠がドロップアウトカラーで印刷されると共に、前記紙シートの他方の面に設けたＰＣＳ値が０．９０以上の前記絵柄印刷層を前記紙シートの一方の面から測定したＰＣＳ値が０．０５未満となる遮蔽層を前記紙シートの他方の面の少なくとも前記手書記入枠に対応する領域であって、前記絵柄印刷層が形成されている領域に設けたことを特徴とするものである。このように構成することにより、印刷層がドロップアウトカラーで印刷された手書記入枠と重なった場合においても、注文情報を正確に効率よくＯＣＲで読取ることができる。
【００１０】
また、請求項２記載の本発明は、請求項１記載のＦＡＸ−ＯＣＲ用申込書において、前記ドロップアウトカラーはＰＣＳ値が０．１８〜０．２１であることを特徴とするものである。このように構成することにより、手書き記入するための正しい位置等を目視で確認することができると共に、ＦＡＸにより送信する際に読込まれることがない手書記入枠とすることができる。
【００１１】
また、請求項３記載の本発明は、請求項１、２のいずれかに記載のＦＡＸ−ＯＣＲ用申込書において、前記遮蔽層が白色のベタ印刷層であることを特徴とするものである。このように構成することにより、遮蔽層を効果的、かつ、安価に形成することができる。
【００１２】
また、請求項４記載の本発明は、請求項１〜３のいずれかに記載のＦＡＸ−ＯＣＲ用申込書において、前記紙シートが坪量８１．４〜１０４．７ｇ／ｍ２の上質紙であることを特徴とするものである。
【００１３】
【発明の実施の形態】
上記の本発明について、図面等を用いて以下に詳述する。
図１は本発明にかかるＦＡＸ−ＯＣＲ用申込書の一実施例を示す平面図、図２は図１のＸ−Ｘ線断面図であり、図中の１はＦＡＸ−ＯＣＲ用申込書、２は遮蔽層、３は絵柄印刷層、４は遮蔽層を設ける領域を示す破線、５は絵柄印刷層を設ける領域を示す２点鎖線、１０は「お申込み用紙」なる表題、１１はタイミングマーク、１２は手書項目名、２０は申込者記入欄枠、２１は「申込者記入欄」なる抜き文字の表題部、２２は手書記入枠、２３は「会員番号」なる表題、２４は会員番号枠、２５は「申込者お名前」なる表題、２６は申込者氏名枠、Ａは紙シートをそれぞれ示す。
【００１４】
図１は本発明にかかるＦＡＸ−ＯＣＲ用申込書の一実施例を示す平面図であって、予め会員登録された申込者が注文情報、たとえば、通信販売用カタログ等に掲載された商品を商品番号、色、サイズ等を手書きにより記入する申込者記入欄のある面を示したものである。ＦＡＸ−ＯＣＲ用申込書１は、紙シートＡの一方の面に、「お申込み用紙」なる表題１０、タイミングマーク１１、手書項目名１２（図１上、○形、△形、×形、亀甲形で示した４種類の手書項目名）が予め非ドロップアウトカラーで印刷により設けられると共に、申込者記入欄を明示する申込者記入欄枠２０、「申込者記入欄」なる抜き文字の表題部２１、申込者が注文情報を一文字ずつ手書き記入する手書記入枠２２、「会員番号」なる表題２３および「会員番号」の印字場所を区画表示する会員番号枠２４、「申込者お名前」なる表題２５および申込者氏名の印字場所を区画表示する申込者氏名枠２６が予めドロップアウトカラーで印刷により設けられている。なお、図１に示したＦＡＸ−ＯＣＲ用申込書１は、図１からも明らかなように７種類の商品を一度に注文することができる構成となっている。
【００１５】
前記紙シートＡとしては、一面に設けたＰＣＳ値が０．９０以上の着色層を反対面から測定したＰＣＳ値が０．０５〜０．０７となる紙質からなるものが好ましく、具体的には坪量が８１．４〜１０４．７ｇ／ｍ２の上質紙が適当である。
なお、前記紙シートＡを坪量で表現したが、実際にはキロ連量が７０〜９０ｋｇの上質紙である。坪量が８１．４ｇ／ｍ２未満の場合は、不透明さに欠けるために、一面に設けた着色層が反対面から透けて見えるために目障りなＦＡＸ−ＯＣＲ用申込書となり、１０４．７ｇ／ｍ２超の場合は、コストの高いものとなる。
【００１６】
ところで、本明細書中のＰＣＳ値は、Ｐｒｉｎｔ  Ｃｏｎｔｒａｓｔ  Ｓｉｇｎａｌの意で、次式で定義された値である。
ＰＣＳＰ＝ＲＷ−ＲＰ／ＲＷ
ＰＣＳＰ：点ＰのＰＣＳ値
ＲＷ：紙シート自体の最大反射率（％）
ＲＰ：点Ｐの印刷部分の反射率（％）
測定機器：マクベス濃度計  マクベスＰＣＭ−ＩＩ  Ａフィルター
ＰＣＳ値は０．００〜１．００までの数値で表され、０．００は真っ白を表し、１．００は真っ黒を表す。
【００１７】
また、ドロップアウトカラーで印刷された枠や文字等は、申込者が注文情報を手書き記入する際に、正しい位置等を目視で明確に確認することができると共に、ＦＡＸにより送信する際に読込まれることがないように０．１８〜０．２１となるＰＣＳ値に調節されている。なお、ドロップアウトカラーで印刷される枠や文字等は、実線で形成されていてもよいし、網点で形成されていてもよいものである。
【００１８】
図２は図１のＸ−Ｘ線断面図であって、ＦＡＸ−ＯＣＲ用申込書１は紙シートＡの一方の面に申込者記入欄を明示する前記申込者記入欄枠２０と前記手書記入枠２２とが設けられ、他方の面に遮蔽層２と絵柄印刷層３とが設けられている。
そして、前記遮蔽層２は、図１上において破線４で囲まれた領域、すなわち、少なくとも前記手書記入枠２２および前記会員番号枠２４に対応する領域に設けられ、前記絵柄印刷層３は、たとえば、図１上において２点鎖線５で囲まれた領域に設けられている。
【００１９】
前記遮蔽層２は、前記遮蔽層２上に設けた前記絵柄印刷層３のＰＣＳ値が０．９０以上の個所を申込者記入欄側から測定したＰＣＳ値が０．０５未満となるような隠蔽性を有する層であって、白色のベタ印刷層で構成するのが適当である。
このように構成した前記遮蔽層２は、前記絵柄印刷層３の濃色部分がドロップアウトカラーで印刷された前記手書記入枠２２と重なっても、ＦＡＸにより送信する際に、前記絵柄印刷層３と重なった前記手書記入枠２２の部分が前記絵柄印刷層３の影響を受けて枠として認識されて読込まれることがなく、たとえば、手書きにより記入した注文情報が前記絵柄印刷層３と重なった前記手書記入枠２２の部分と重なった場合に、ＦＡＸにより送信した注文情報をＯＣＲが誤認することを防止することができる。なお、前記遮蔽層２は、前記絵柄印刷層３のＰＣＳ値が０．９０以上の個所を申込者記入欄側から測定した際に、前記遮蔽層２を設けない場合のＰＣＳ値と前記遮蔽層２を設けた場合のＰＣＳ値との濃度差が０．０１以上低下するような隠蔽性を有する層でもある。
【００２０】
また、図１においては、ＦＡＸ−ＯＣＲ用申込書１を商品申込用の申込者記入欄のみを備えた構成としたものを例示したが、これ以外に、たとえば、申込者が手書により記入してＯＣＲで読取るアンケートやプレゼント申込み等の他の記入欄を設けた場合には、当然、この記入欄に設けられる手書記入枠に対応する領域に前記遮蔽層２を設けるものである。また、前記遮蔽層２は、図１に例示したように前記手書記入枠２２に対応する領域に設けるのみならず、前記絵柄印刷層３が印刷により設けられる前記紙シートＡの他方の面全面に設けてもよいものである。
【００２１】
また、前記絵柄印刷層３は、図示はしないが、印刷により形成される通信販売用商品広告、たとえば、洋服、家具、食器等の絵柄やベタ柄、あるいは、文字等からなる多種多様なカラフルな商品広告等である。前記絵柄印刷層３は、図１上においては２点鎖線で囲まれた領域に形成されたものを示したが、前記遮蔽層２の設け方（たとえば、前記遮蔽層２を前記紙シートＡの他方の面全面に設けた場合）によっては前記紙シートＡの他方の面のほぼ全面に亘って設けられていてもよいものである。
【００２２】
【実施例】
次に、本発明について、以下に実施例を挙げてさらに詳しく説明する。
実施例１
８１．４ｇ／ｍ２の上質紙の一方の面に、墨色のＵＶオフセット用インキを用いて、ＰＣＳ値が０．９０以上からなる「お申込み用紙」なる表題１０、タイミングマーク１１、手書項目名１２をオフセット印刷法により形成すると共に、スカイブルーのＵＶオフセットインキ（ドロップアウトカラーインキ）を用いて、ＰＣＳ値が０．１９からなる申込者記入欄枠２０、「申込者記入欄」なる抜き文字の表題部２１、申込者が注文情報を一文字ずつ手書き記入する手書記入枠２２、「会員番号」なる表題２３および会員番号の印字場所を区画表示する会員番号枠２４、「申込者お名前」なる表題２５および申込者氏名の印字場所を区画表示する申込者氏名枠２６をオフセット印刷法により形成して図１に示す「お申込み用紙」の本体部を作製し、次に、他方の面に白色のＵＶオフセットインキを用いて、図１の破線４で囲まれた領域にベタ柄印刷を施して遮蔽層２（図２参照）を形成すると共に、該遮蔽層２上の図１の２点鎖線で囲まれた領域に墨色のＵＶオフセット用インキを用いて、ＰＣＳ値が０．９０以上からなるベタ柄印刷を施して本発明のＦＡＸ−ＯＣＲ用申込書を作製した。なお、墨色で形成したベタ柄印刷は、商品広告等の絵柄印刷層として形成したものである。
【００２３】
比較例１
遮蔽層２を割愛した以外は、実施例１と同様にして比較例とするＦＡＸ−ＯＣＲ用申込書を作製した。
【００２４】
上記で作製した実施例１、および、比較例１をファクシミリ〔ブラザー（株）製：７６０Ｆ〕でテストしたところ、実施例１は手書記入枠２２が枠として認識されなかったが、比較例１は、墨色のベタ柄印刷を施した図１上の２点鎖線で囲まれた領域の手書記入枠２２が枠として認識される結果となり、手書により記入される文字が誤認される虞が生じた。また、実施例１、および、比較例１の手書記入枠２２は、目視で明確に確認することができた。
【００２５】
また、実施例１、および、比較例１について、図１の２点鎖線で囲まれた領域の手書記入枠２２の部位と手書記入枠２２で囲まれた部位（無地部）のＰＣＳ値を上質紙の前記一方の面からそれぞれそれぞれ５点測定して、最大値と最小値を表１に示した。
【００２６】
【表１】
2004160728.tif 000003
【００２７】
表１からも明らかなように、無地部のＰＣＳ値が０．０４以下（０．０５未満）、あるいは、無地部のＰＣＳ値の濃度差が０．０１以上低下する遮蔽層を設けることにより、ＰＣＳ値が０．９０以上の墨色のベタ柄印刷（商品広告等の絵柄印刷層として形成したもの）が設けられていても、手書記入枠２２が枠として認識されることがないＦＡＸ−ＯＣＲ用申込書とすることができる。
【００２８】
【発明の効果】
以上縷々説明したように、本発明のＦＡＸ−ＯＣＲ用申込書は、注文情報を手書き記入するための正しい位置等を目視で確認することができるという優れた効果を奏し、さらに裏面に鮮明な商品広告等を印刷により設けてもＦＡＸにより送信した注文情報を正確に効率よくＯＣＲで読取ることができるという優れた効果を奏するものである。
【図面の簡単な説明】
【図１】本発明にかかるＦＡＸ−ＯＣＲ用申込書の一実施例を示す平面図である。
【図２】図１のＸ−Ｘ線断面図である。
【符号の説明】
１                      ＦＡＸ−ＯＣＲ用申込書
２                      遮蔽層
３                      絵柄印刷層
４                      遮蔽層を設ける領域を示す破線
５                      絵柄印刷層を設ける領域を示す２点鎖線
１０                    「お申込み用紙」なる表題
１１                    タイミングマーク
１２                    手書項目名
２０                    申込者記入欄枠
２１                    「申込者記入欄」なる抜き文字の表題部
２２                    手書記入枠
２３                    「会員番号」なる表題
２４                    会員番号枠
２５                    「申込者お名前」なる表題
２６                    申込者氏名枠
Ａ                      紙シート
【図１】
2004160728.tif 000004
【図２】
2004160728.tif 000005